(57)【要約】【課題】  電子部品の支持剛性が高く且つ電子部品に対する防水性・防塵性の向上を図ることができる自動車の前部構造を提供する。【解決手段】  ラジコアサポート１に、グリル８を支持したダクト３を固定し、該ダクト３内に、ミリ波レーダ１１等の電子部品を、ダクト３に取付けた状態で支持したため、電子部品の支持剛性が高まる。また、電子部品はダクト３により保護された状態となり、電子部品の防水性・防塵性が向上する。【選択図】        図２
2005271803.tif 000002
【特許請求の範囲】
【請求項１】
車体（１）に固定されたダクト（３）と、該ダクト（３）に支持されたグリル（８）とより少なくとも構成されてなる自動車の前部構造であって、
前記ダクト（３）内に、電子部品（１１、１２、１３）を、少なくともダクト（３）又は車体（１）のいずれかに取付けた状態で支持したことを特徴とする自動車の前部構造。
【請求項２】
請求項１記載の自動車の前部構造であって、
ダクト（３）が、少なくとも上壁部（３ｂ）と下壁部（３ｃ）を有する構造で、電子部品（１１、１２、１３）が上壁部（３ｂ）と下壁部（３ｃ）の間に支持されていることを特徴とする自動車の前部構造。
【請求項３】
請求項２記載の自動車の前部構造であって、
ダクト（３）の前方がグリルカバー（１０）にて覆われていることを特徴とする自動車の前部構造。
【請求項４】
請求項１〜３のいずれか１項に記載の自動車の前部構造であって、
複数の電子部品（１１、１２、１３）が１つのケース（１４）内に収納された状態でダクト（３）内に支持され、ケース（１４）内の各電子部品（１１、１２、１３）のハーネス（１７）がケース（１４）に設けられた１つのコネクタ（１８）に集合されていることを特徴とする自動車の前部構造。
【発明の詳細な説明】
【技術分野】
【０００１】
本発明は、自動車の前部構造に関するものである。
【背景技術】
【０００２】
自動車の前部にはグリルが設定され、そのグリルにはミリ波レーダやカメラ等、車体前部に設置する必要のある電子部品が支持されている（例えば、特許文献１。）。
【特許文献１】特開２００３−４４４８号公報
【発明の開示】
【発明が解決しようとする課題】
【０００３】
しかしながら、このような従来の技術にあっては、電子部品を支持しているグリルは、通気性確保のために開口を多く有する構造になっているため、それ自体の剛性が低い。従って、そのようなグリルに支持する電子部品の支持剛性も低くなり、大きな電子部品や、数多くの電子部品を支持することができない。
【０００４】
また、グリルは外部に露出しており、特別に防水対策や防塵対策が施されてないため、水や埃に弱い構造の電子部品はグリルに支持することができない。
【０００５】
本発明は、このような従来の技術に着目してなされたものであり、電子部品の支持剛性が高く且つ電子部品に対する防水性・防塵性の向上を図ることができる自動車の前部構造を提供するものである。
【課題を解決するための手段】
【０００６】
請求項１記載の発明は、車体に固定されたダクトと、該ダクトに支持されたグリルとより少なくとも構成されてなる自動車の前部構造であって、前記ダクト内に、電子部品を、少なくともダクト又は車体のいずれかに取付けた状態で支持したことを特徴とする。
【０００７】
請求項２記載の発明は、ダクトが、少なくとも上壁部と下壁部を有する構造で、電子部品が上壁部と下壁部の間に支持されていることを特徴とする。
【０００８】
請求項３記載の発明は、ダクトの前方がグリルカバーにて覆われていることを特徴とする。
【０００９】
請求項４記載の発明は、複数の電子部品が１つのケース内に収納された状態でダクト内に支持され、ケース内の各電子部品のハーネスがケースに設けられた１つのコネクタに集合されていることを特徴とする。
【発明の効果】
【００１０】
請求項１記載の発明によれば、車体にグリルを支持するダクトを固定し、該ダクト内に電子部品を少なくともダクト又は車体のいずれかに取付けた状態で支持したため、電子部品の支持剛性が高まる。また、電子部品はダクトにより保護された状態となり、電子部品の防水性・防塵性が向上する。
【００１１】
請求項２記載の発明によれば、ダクトが少なくとも上壁部と下壁部を有する構造のため、上方からの雨水や、下方からの跳ね返り水に対する防水性が向上する。
【００１２】
請求項３記載の発明によれば、ダクトの前方がグリルカバーにて覆われているため、前方からの水に対する防水性及び防塵性が更に向上する。
【００１３】
請求項４記載の発明によれば、複数の電子部品が１つのケース内に収納され且つ各電子部品のハーネスが１つのコネクタに集合されているため、複数の電子部品を支持する場合のダクトへの組付性が良い。また、ケース内に収納されているため、防水性及び防塵性が更に向上する。
【発明を実施するための最良の形態】
【００１４】
電子部品の支持剛性が高く且つ電子部品に対する防水性・防塵性の向上を図ることができる自動車の前部構造を提供する、という目的を、車体に固定されたダクトと、該ダクトに支持されたグリルとより少なくとも構成されてなる自動車の前部構造であって、前記ダクト内に、電子部品を、少なくともダクト又は車体のいずれかに取付けた状態で支持したことで、実現した。
【実施例１】
【００１５】
図１及び図２に基づいて第１の実施例について説明する。図１は、グリル部分だけを示す斜視図である。図２は車体部分も含めた状態のグリルの簡略断面図である。図２では、グリルを簡略化した板状に表している。
【００１６】
自動車の前部には、「車体」としてのラジコアサポート１が配され、該ラジコアサポート１の後方（図２の右側。以下同じ。）にラジエータ２が支持されている。ラジコアサポート１の左右中央部は上下方向に連続しているが、左右両側には通気開口（図示せず）が形成されている。
【００１７】
ラジコアサポート１の前方（図２の左側。以下同じ。）には、樹脂製のダクト３が固定されている。ダクト３は、ラジコアサポート１に沿って固定される後壁部３ａと、該後壁部３ａの上端部から斜め前方へ延びる上壁部３ｂと、該上壁部３ｂの下方に位置する下壁部３ｃとから形成されている。後壁部３ａの下方に通気開口４が形成されている。従って、ダクト３には、後壁部３ａの上部と、上壁部３ｂと、下壁部３ｃとにより、前方が開口した空間Ｓが形成される。
【００１８】
ダクト３の空間Ｓの下方に、バンパレインフォース５が配され、その前方にバンパフェイシア６が配されている。バンパフェイシア６には通気開口７が形成されている。
【００１９】
そして、ダクト３における空間Ｓの前方に、グリル８が一体的に組み付けられている。グリル８は、ダクト３に予め組み付けられているため、ダクト３をラジコアサポート１へ固定することにより、グリル８の取付けも同時に完了する。
【００２０】
グリル８の中央部には開口９が形成され、そこにグリルカバー１０が設けられている。グリルカバー１０は、耐候性を有するＡＥＳ系樹脂により形成されている。このグリルカバー１０の後方に位置するダクト３の空間Ｓ内には、電子部品としてのミリ波レーダ１１と、ステレオカメラ（ＣＣＤ）１２と、基板１３を収納したケース１４が設置されている。ミリ波レーダ１１は車両前方の障害物等の検知を行うためのもので、ステレオカメラ１２も車両前方の状況を画像で監視するためのものである。
【００２１】
ケース１４は、上下がアタッチメント１５により上壁部３ｂ及び後壁部３ａへ支持され、後部が上下２本のステー１６により後壁部３ａへ支持されている。ステー１６の前端部は、ケース１４を貫通してミリ波レーダ１１を直接支持している。ケース１４の後部上方には、ミリ波レーダ１１、ステレオカメラ１２、基板１３の各ハーネス１７を集合したコネクタ１８が設けられている。コネクタ１８は、車体側から延びた別の図示せぬコネクタに接続される。
【００２２】
以上説明したように、この実施例によれば、車体であるラジコアサポート１に、グリル８を一体的に組み付けたダクト３を固定し、該ダクト３の空間Ｓ内に、電子部品であるミリ波レーダ１１、ステレオカメラ１２、基板１３を支持したため、これら電子部品の防水性・防塵性が向上する。すなわち、ダクト３が上壁部３ｂと下壁部３ｃを有する構造のため、上方からの雨水や下方からの跳ね返り水に対する防水性が向上する。更に、ダクト３の空間Ｓの前方をグリルカバー１０にて覆い、且つ各電子部品をケース１４内に収納したため、これら電子部品の防水性・防塵性は更に向上する。
【００２３】
また、このような電子部品を収納したケース１４をダクト３に取付けたため、各電子部品の支持剛性は向上し、ミリ波レーダ１１のような大きな電子部品も支持可能となり、また複数の電子部品も支持可能となる。
【００２４】
更に、複数の電子部品が１つのケース１４内に収納され且つ各電子部品のハーネス１７が１つのコネクタ１８に集合されているため、複数の電子部品を支持する場合のダクト３への組付性も良くなる。
【産業上の利用可能性】
【００２５】
以上の実施例では、電子部品としてミリ波レーダ１１、ステレオカメラ１２、基板１３を例にしたが、これらに限定されない。また、ケース１４を支持するステー１６の後端部をダクト３の後壁部３ａに連結する例を示したが、このステー１６の後端部は、支持剛性を更に高めるために、ダクト３の後壁部３ａを貫通して、ラジコアサポート１に直接連結するようにしても良い。
【図面の簡単な説明】
【００２６】
【図１】本発明の第１の実施例に係るグリルを示す斜視図。
【図２】車体側も含んだ状態における図１中矢示ＳＡ−ＳＡ線に沿う断面図。
【符号の説明】
【００２７】
１  ラジコアサポート（車体）
３  ダクト
３ａ  後壁部
３ｂ  上壁部
３ｃ  下壁部
８  グリル
１０  グリルカバー
１１  ミリ波レーダ（電子部品）
１２  ステレオカメラ（電子部品）
１３  基板（電子部品）
１４  ケース
１７  ハーネス
１８  コネクタ
Ｓ  空間
【図１】
2005271803.tif 000003
【図２】
2005271803.tif 000004